(57)【要約】【課題】用紙に押し当てる型を用いずに用紙への凹凸感の付与を行えるようにする。【解決手段】用紙５０の表面側には、イエロー（Ｙ）、マゼンタ（Ｍ）、シアン（Ｃ）、黒（Ｋ）のトナー像により形成された通常画像層が形成されている。また、特定部分が位置している箇所において、通常画像層の上にはクリアトナーが付着し、この部分には凸部が形成されている。さらに、用紙の裏面側では、特定部分を除いた箇所に対して、クリアトナーが付着し、用紙の裏面側には凹部が形成されている。【選択図】図４
2015079135.tif 000002
【特許請求の範囲】
【請求項１】
用紙の第１面の予め定められた箇所に材料を付着させ、当該予め定められた箇所に凸部を形成する凸部形成手段と、
用紙の第２面のうち、前記予め定められた箇所の裏側に相当する箇所の周囲に材料を付着させ、当該裏側に相当する箇所に凹部を形成する凹部形成手段と、
を備える凹凸形成装置。
【請求項２】
前記凸部および前記凹部が形成された複数枚の前記用紙を重ねた際に、一の用紙に形成された当該凸部が、当該一の用紙の隣に位置する他の用紙の当該凹部に収まるように、当該凸部および当該凹部は形成されることを特徴とする請求項１に記載の凹凸形成装置。
【請求項３】
前記凹部形成手段は、前記裏側に相当する前記箇所を除き、前記第２面の全面に対して前記材料を付着させることを特徴とする請求項１に記載の凹凸形成装置。
【請求項４】
前記凸部形成手段が用いる前記材料、および、前記凹部形成手段が用いる前記材料の少なくとも一方の材料は、透明であることを特徴とする請求項１に記載の凹凸形成装置。
【請求項５】
用紙の第１面に画像を形成する画像形成手段と、
前記画像形成手段により前記第１面に形成された画像の上に材料を付着させ、当該画像が形成されている部分に凸部を形成する凸部形成手段と、
用紙の第２面のうち、前記凸部が形成される箇所の裏側に相当する箇所の周囲に材料を付着させ、当該裏側に相当する箇所に凹部を形成する凹部形成手段と、
を備える画像形成装置。
【請求項６】
前記画像形成手段は、画像形成用材料を用いて前記第１面への画像形成を行い、
前記凸部形成手段は、前記画像の上に、前記画像形成用材料を付着させることで、前記凸部を形成し、
前記凹部形成手段は、前記裏側に相当する前記箇所の周囲に、前記画像形成用材料を付着させることで、前記凹部を形成することを特徴とする請求項５に記載の画像形成装置。
【請求項７】
前記凸部形成手段は、前記画像の上に前記材料を付着させるに際し、当該画像のうちの画像濃度が高い部分と画像濃度が低い部分とで、付着させる当該材料の量を異ならせることを特徴とする請求項５に記載の画像形成装置。
【請求項８】
前記凸部形成手段は、像の元となる像データおよび前記材料を用い、前記画像の上に対して当該像を形成することで、当該画像の上への当該材料の前記付着を行い、
前記凹部形成手段は、像の元となる像データおよび前記材料を用い、前記第２面の上に対して当該像を形成することで、当該第２面への当該材料の前記付着を行い、
前記凸部形成手段が用いる前記像データおよび前記凹部形成手段が用いる前記像データのうちの一方の像データは、他方の像データに対して階調反転処理および鏡像処理を行うことにより生成された像データであることを特徴とする請求項５に記載の画像形成装置。
【発明の詳細な説明】
【技術分野】
【０００１】
本発明は、凹凸形成装置および画像形成装置に関する。
【背景技術】
【０００２】
特許文献１には、マウス、キーボードあるいはタッチパネルによる描画操作に応じて、印刷対象画像のうち凹凸処理する領域または輪郭の指定を行なう指定手段と、マウス、キーボードあるいはタッチパネルによる描画操作の押圧力の調整に応じて、凹凸の度合いを調整する調整手段とを備える印刷装置が開示されている。
また、特許文献２には、アプリケーションで作成された異なる甲乙２種類の画像のデータの一方を通常インク印字ヘッドにより被印刷体に印字しながら、画像のデータの他方を透明膨張インクを吐出する膨張インク印字ヘッドにより同一の被印刷体に印字する立体画像の作成方法が開示されている。
【先行技術文献】
【特許文献】
【０００３】
【特許文献１】特開２０１０−１９１９２５号公報
【特許文献２】特開２００１−２２５４５９号公報
【発明の概要】
【発明が解決しようとする課題】
【０００４】
本発明の目的は、用紙に押し当てる型を用いずに用紙への凹凸感の付与を行えるようにすることにある。
【課題を解決するための手段】
【０００５】
請求項１に記載の発明は、用紙の第１面の予め定められた箇所に材料を付着させ、当該予め定められた箇所に凸部を形成する凸部形成手段と、用紙の第２面のうち、前記予め定められた箇所の裏側に相当する箇所の周囲に材料を付着させ、当該裏側に相当する箇所に凹部を形成する凹部形成手段と、を備える凹凸形成装置である。
請求項２に記載の発明は、前記凸部および前記凹部が形成された複数枚の前記用紙を重ねた際に、一の用紙に形成された当該凸部が、当該一の用紙の隣に位置する他の用紙の当該凹部に収まるように、当該凸部および当該凹部は形成されることを特徴とする請求項１に記載の凹凸形成装置である。
請求項３に記載の発明は、前記凹部形成手段は、前記裏側に相当する前記箇所を除き、前記第２面の全面に対して前記材料を付着させることを特徴とする請求項１に記載の凹凸形成装置である。
請求項４に記載の発明は、前記凸部形成手段が用いる前記材料、および、前記凹部形成手段が用いる前記材料の少なくとも一方の材料は、透明であることを特徴とする請求項１に記載の凹凸形成装置である。
請求項５に記載の発明は、用紙の第１面に画像を形成する画像形成手段と、前記画像形成手段により前記第１面に形成された画像の上に材料を付着させ、当該画像が形成されている部分に凸部を形成する凸部形成手段と、用紙の第２面のうち、前記凸部が形成される箇所の裏側に相当する箇所の周囲に材料を付着させ、当該裏側に相当する箇所に凹部を形成する凹部形成手段と、を備える画像形成装置である。
請求項６に記載の発明は、前記画像形成手段は、画像形成用材料を用いて前記第１面への画像形成を行い、前記凸部形成手段は、前記画像の上に、前記画像形成用材料を付着させることで、前記凸部を形成し、前記凹部形成手段は、前記裏側に相当する前記箇所の周囲に、前記画像形成用材料を付着させることで、前記凹部を形成することを特徴とする請求項５に記載の画像形成装置である。
請求項７に記載の発明は、前記凸部形成手段は、前記画像の上に前記材料を付着させるに際し、当該画像のうちの画像濃度が高い部分と画像濃度が低い部分とで、付着させる当該材料の量を異ならせることを特徴とする請求項５に記載の画像形成装置である。
請求項８に記載の発明は、前記凸部形成手段は、像の元となる像データおよび前記材料を用い、前記画像の上に対して当該像を形成することで、当該画像の上への当該材料の前記付着を行い、前記凹部形成手段は、像の元となる像データおよび前記材料を用い、前記第２面の上に対して当該像を形成することで、当該第２面への当該材料の前記付着を行い、前記凸部形成手段が用いる前記像データおよび前記凹部形成手段が用いる前記像データのうちの一方の像データは、他方の像データに対して階調反転処理および鏡像処理を行うことにより生成された像データであることを特徴とする請求項５に記載の画像形成装置である。
【発明の効果】
【０００６】
請求項１の発明によれば、用紙に押し当てる型を用いずに用紙への凹凸感の付与を行えるようになる。
請求項２の発明によれば、用紙を複数枚重ねることで生成される用紙束の厚みを小さくできる。
請求項３の発明によれば、凹部が形成される箇所を除き、用紙の第２面を平坦な状態とすることができる。
請求項４の発明によれば、用紙への材料の付着を行っても、付着した材料の背後にある文字等を視認できるようになる。
請求項５の発明によれば、用紙に押し当てる型を用いずに用紙への凹凸感の付与を行えるようになる。
請求項６の発明によれば、凹凸感の付与のための専用の材料を用意せずに、用紙への凹凸感の付与を行えるようになる。
請求項７の発明によれば、画像が有する立体感を、この画像の上に形成される凸部に付与することが可能になる。
請求項８の発明によれば、像データに基づき用紙への像形成を行って用紙への材料の付着を行うにあたり、簡易にこの像データを用意できるようになる。
【図面の簡単な説明】
【０００７】
【図１】画像形成システムの全体構成を示した図である。
【図２】画像形成装置の構成を示した図である。
【図３】処理の具体例を説明するための図である。
【図４】図３（Ｂ）の（Ｂ−１）における矢印ＩＶ−ＩＶ線における断面図である。
【図５】（Ａ）、（Ｂ）は、用紙の表裏にそれぞれ形成されるクリアトナー層を示した図である。
【図６】クリアトナー層が形成された複数枚の用紙を積み重ねた状態を示した図である。
【図７】用紙の裏面の状態を示した図である。
【図８】凸部、凹部の他の形状を示した図である。
【図９】クリアトナー層の厚みを増減させた際の用紙の状態を示した図である。
【発明を実施するための形態】
【０００８】
以下、添付図面を参照して、本発明の実施形態について説明する。
図１は、本実施形態の画像形成システム１の全体構成を示した図である。
本実施形態における画像形成システム１には、ＰＣ（Personal Computer）などにより構成され、画像データを出力する画像データ出力装置１００が設けられている。また、画像データ出力装置１００から出力された画像データに基づき、予め定められたサイズ（例えば、名刺サイズ）の用紙に対して画像を形成する画像形成装置２００が設けられている。
【０００９】
画像データ出力装置１００には、アプリケーション（アプリケーションプログラム）１１０が格納されており、本実施形態では、このアプリケーション１１０が用いられることで、用紙上に形成される画像の元となる画像データが生成される。さらに、画像データ出力装置１００には、画像形成装置２００への画像データの出力を行う出力指示部１２０が設けられている。
【００１０】
出力指示部１２０には、プリンタドライバ１２１と、凹凸ジョブ生成部１２２とが設けられている。ここで、この凹凸ジョブ生成部１２２は、用紙への凹凸の付与（後述）が行われる際に用いられる凹凸形成用データを生成する。ここで、出力指示部１２０は、アプリケーション１１０から受け取った画像データを画像形成装置２００へ出力する。また、出力指示部１２０は、用紙への凹凸が行われる場合には、画像データとともに凹凸形成用データを画像形成装置２００へ出力する。
【００１１】
ここで、プリンタドライバ１２１では、一般的に、画像形成装置２００が有する固有の機能をＯＮ／ＯＦＦしたり、調整レベルを指定したりでき、プリンタドライバ１２１は、画像形成装置２００がどのような機能を有しているかを把握できている。そして、本実施形態では、このプリンタドライバ１２１に近い位置に、凹凸ジョブ生成部１２２を設けている。
【００１２】
かかる場合、凹凸ジョブ生成部１２２は、画像形成装置２００が有している機能を考慮に入れて、凹凸形成用データを生成でき、この場合、凹凸ジョブ生成部１２２によって生成された凹凸形成用データに基づく凹凸の形成が、画像形成装置２００にて行えない、などの不具合が生じることが抑制される。
なお、凹凸ジョブ生成部１２２は、プリンタドライバ１２１に近い位置に限らず、例えば、後述する画像処理部２１０内に設けることもできる。
【００１３】
次に、画像形成装置２００について説明すると、画像形成装置２００には、図１に示すように、画像データ出力装置１００から送信されてきた画像データに対して、予め定められた画像処理を施す画像処理部２１０が設けられている。さらに、画像形成装置２００には、画像処理部２１０による画像処理が施された画像データに基づき、用紙への画像形成を行う画像形成部２２０が設けられている。
【００１４】
次に、画像形成装置２００の具体的な構成を説明する。
図２は、画像形成装置２００の構成を示した図である。
同図に示すように、また、上記にて説明したように、画像形成装置２００には、画像データに対して画像処理を施す画像処理部２１０が設けられている。さらに、画像処理部２１０による画像処理が施された画像データに基づき、用紙への画像形成を行う画像形成部２２０が設けられている。
【００１５】
ここで、画像形成部２２０には、給紙部１Ａが設けられている。
給紙部１Ａは、用紙５０を収容する第１用紙収容部１１〜第４用紙収容部１４を備えている。また、第１用紙収容部１１〜第４用紙収容部１４の各々に対応して設けられ、各用紙収容部に収容された用紙５０を用紙搬送経路Ｒに向けて送り出す送り出しロール１５〜１８を備えている。
また、画像形成部２２０には、間隔を置いて並列的に配置される６つの画像形成ユニット３０Ｔ,３０Ｐ,３０Ｙ３０Ｍ,３０Ｃ,３０Ｋ（以下、単に「画像形成ユニット３０」と称する場合がある）が設けられている。
【００１６】
各画像形成ユニット３０は、矢印Ａ方向に回転しながら静電潜像が形成される感光体ドラム３１、感光体ドラム３１の表面を帯電する帯電ロール３２、感光体ドラム３１上に形成された静電潜像を現像する現像器３３、感光体ドラム３１表面の未転写トナー等を除去するドラムクリーナ３４を含んで構成されている。また、画像形成ユニット３０Ｔ,３０Ｐ,３０Ｙ,３０Ｍ,３０Ｃ,３０Ｋのそれぞれの感光体ドラム３１をレーザ光で走査露光するレーザ露光装置２６が設けられている。
【００１７】
ここで、各画像形成ユニット３０は、現像器３３に収納されたトナーを除いて、同じ構成を有している。そして、画像形成手段の一部として機能する画像形成ユニット３０Ｙ,３０Ｍ,３０Ｃ,３０Ｋの各々では、イエロー（Ｙ）、マゼンタ（Ｍ）、シアン（Ｃ）、黒（Ｋ）のトナー像が形成される。また、本実施形態では、画像形成ユニット３０Ｙ,３０Ｍ,３０Ｃ,３０Ｋに加え、画像形成ユニット３０Ｔ,３０Ｐが設けられており、この画像形成ユニット３０Ｔ,３０Ｐでは、クリアトナー（無色透明のトナー）や発泡トナーが用いられて画像が形成される。
【００１８】
また、画像形成部２２０には、各画像形成ユニット３０の感光体ドラム３１にて形成された各色のトナー像が多重転写される中間転写ベルト４１、各画像形成ユニット３０の各色トナー像を一次転写部Ｔ１にて中間転写ベルト４１に順次転写（一次転写）させる一次転写ロール４２、中間転写ベルト４１上に転写された重畳トナー像を二次転写部Ｔ２にて用紙５０に一括転写（二次転写）させる二次転写ロール４０、中間転写ベルト４１表面の未転写トナー等を除去するベルトクリーナ４５、二次転写された画像を用紙５０上に定着する定着器８０を備えている。
【００１９】
ここで、用紙５０への画像形成が行われる際には、まず、画像処理部２１０からの画像データがレーザ露光装置２６に供給される。そして、例えばマゼンタ（Ｍ）の画像形成ユニット３０Ｍでは、帯電ロール３２により感光体ドラム３１の表面が予め定められた電位で帯電された後、レーザ露光装置２６により、画像処理部２１０から得られた画像データで変調されたレーザ光が感光体ドラム３１に走査露光される。
【００２０】
これにより、感光体ドラム３１上に静電潜像が形成される。そして、形成された静電潜像は現像器３３により現像され、感光体ドラム３１上にはマゼンタのトナー像が形成される。同様にして、画像形成ユニット３０Ｙ,３０Ｃ,３０Ｋにおいて、イエロー、シアン、黒のトナー像が形成される。また、画像形成ユニット３０Ｔ,３０Ｐでは、クリアトナー（無色透明のトナー）や発泡トナーが画像形成用材料として用いられ、画像が形成される。
【００２１】
各画像形成ユニット３０にて形成された各トナー像は、図２の矢印Ｃ方向に回転する中間転写ベルト４１上に、一次転写ロール４２により順次静電転写（一次転写）され、中間転写ベルト４１上に重畳されたトナー像が形成される。なお、一次転写時に感光体ドラム３１上に残留した未転写トナー等は、一次転写ロール４２の下流側に配設されたドラムクリーナ３４により除去（廃棄）される。
【００２２】
そして、中間転写ベルト４１上に形成された重畳トナー像は、中間転写ベルト４１の移動に伴って二次転写ロール４０とバックアップロール４９とが配設された二次転写部Ｔ２に向けて搬送される。一方、用紙５０は、例えば送り出しロール１５により第１用紙収容部１１から取り出され、用紙搬送経路Ｒを経由した後、レジストロール７４の位置まで搬送される。
【００２３】
そして、重畳トナー像が二次転写部Ｔ２に搬送されると、そのタイミングに合わせてレジストロール７４から二次転写部Ｔ２に用紙５０が供給される。そして、二次転写ロール４０とバックアップロール４９との間に形成された転写電界の作用により、重畳トナー像は用紙５０上に一括して静電転写される。
【００２４】
その後、重畳トナー像が静電転写された用紙５０は、中間転写ベルト４１から剥離され、定着器８０まで搬送される。定着器８０に搬送された用紙５０上の未定着トナー像は、定着器８０によって熱および圧力による定着処理を受けることで用紙５０上に定着される。そして、定着画像が形成された用紙５０は、排紙積載部９７上に積載される。
【００２５】
なお、上記では、通常の画像形成処理を一例に説明した。一方で、本実施形態では、用紙５０に対して凹凸（後述）を付与でき、この凹凸の付与の際には、凸部形成手段の一部および凹部形成手段の一部として機能する画像形成ユニット３０Ｔ,３０Ｐが用いられてトナー像の形成が行われ、このトナー像が用紙５０に対して転写される。
【００２６】
また、上記では説明を省略したが、本実施形態では、定着器８０を通過した用紙５０を反転させて、再度、二次転写部Ｔ２に送り込むための反転搬送機構２４０が設けられている。ここで、反転搬送機構２４０について説明すると、本実施形態の反転搬送機構２４０には、図２に示すように、定着器８０よりも用紙搬送方向下流側にて、用紙搬送経路Ｒから分岐する分岐経路８１３が設けられている。また、この分岐経路８１３からさらに下方に向かって延びる反転経路８１４が設けられている。
【００２７】
また、反転経路８１４に接続するとともに、レジストロール７４よりも用紙搬送方向上流側にて、用紙搬送経路Ｒに接続し、用紙５０を用紙搬送経路Ｒに戻す戻し経路８１５が設けられている。さらに、分岐経路８１３には分岐ロール８５４が設けられ、反転経路８１４には反転ロール８５５が設けられている。また、戻し経路８１５には戻しロール８５６が設けられている。
【００２８】
ここで、反転経路８１４に設けられた反転ロール８５５は、正逆両方向に回転できるように構成されている。さらに、用紙搬送経路Ｒと分岐経路８１３との間、分岐経路８１３と戻し経路８１５との間には、それぞれ搬送経路を切り換えるための切換ゲート(図示せず)が設けられており、選択されたモードに応じて搬送経路が切り換えられるようになっている。
【００２９】
ここで、反転搬送機構２４０により用紙５０の反転がなされる際には、定着器８０を通過した用紙５０が分岐経路８１３に送り込まれるとともに、反転経路８１４まで搬送される。次いで、反転ロール８５５の逆回転がなされ、また、用紙５０が切換ゲートにより案内されることで、用紙５０が戻し経路８１５に送られる。
【００３０】
そして、この用紙５０は、レジストロール７４の上流側にて、用紙搬送経路Ｒに供給される。なお、このとき、用紙５０は、表裏の反転がなされている。その後、この用紙５０が二次転写部Ｔ２に達することで、用紙５０の裏面にトナー像が転写される。その後、この用紙５０は、定着器８０に達し、裏面に転写されたトナー像の用紙５０への定着が行なわれる。
【００３１】
なお、図２では、図示を省略しているが、用紙搬送経路Ｒや、反転搬送機構２４０に設けられた複数の上記経路（用紙搬送経路）には、複数の搬送ロールが予め定められた間隔をおいて多数設けられており、本実施形態では、名刺サイズの用紙５０など小さいサイズの用紙５０も搬送されるようになっている。
【００３２】
ところで、本実施形態における画像形成装置２００では、画像形成ユニット３０Ｔ等に収容されたクリアトナーなどを用いることで、用紙５０に対して凹凸を付与できるようになっている。付言すると、用紙に対する凹凸の付与は、一般的には、型を用紙に押し当てて凹凸を付与するいわゆるエンボス加工により行われるが、本実施形態では、このエンボス加工によらずに凹凸を付与できるようになっている。
【００３３】
なお、このように、エンボス加工によらずに凹凸を付与できる場合、型を省略可能となり、エンボス加工に比べ、用紙への凹凸の付与をより安価に行えるようになる。また、エンボス加工によらない場合、型の作成に要する時間を省略でき、凹凸の形状の変更を速やかに行えるようになる。
以下、本実施形態にて行われる用紙５０への凹凸の付与について説明する。なお、以下では、名刺サイズの用紙５０に対して凹凸の付与を行う場合を一例に説明する。
【００３４】
図３（処理の具体例を説明するための図）を参照して説明する。
なお、図３（Ａ）は、一般的な名刺を示し、図３（Ｂ）は、本実施形態の画像形成装置２００により作成した名刺を示している。なお、図３（Ｂ）では、名刺の表面、裏面の両方を図示している。
【００３５】
本実施形態の画像形成装置２００により作成した名刺では、同図（Ｂ）の（Ｂ−１）に示すように、名刺の表面（第１面）のうち、「コピー機の画像」が形成されている部分（以下、「特定部分」と称する）に対して、クリアトナーが盛られており（付着しており）、この部分の厚みが大きくなっている。一方で、名刺の裏面（第２面）では、特定部分を除いた部分に対して、クリアトナーが盛られ、特定部分以外の箇所の厚みが大きくなっている。付言すると、名刺の裏面では、上記「コピー機の画像」の裏側に相当する箇所の周囲に対してクリアトナーが盛られ、この裏側に相当する箇所以外の箇所の厚みが大きくなっている。
【００３６】
図４は、図３（Ｂ）の（Ｂ−１）におけるＩＶ−ＩＶ線における断面図である。
本実施形態では、図４に示すように、用紙５０の表面側に、イエロー（Ｙ）、マゼンタ（Ｍ）、シアン（Ｃ）、黒（Ｋ）のトナーの何れかを含んだトナー像（４色のうちの少なくとも１色により形成されたトナー像）により形成された画像層（以下、「通常画像層」と称する）が形成されている。
【００３７】
また、本実施形態では、特定部分が位置している箇所において、通常画像層の上に、クリアトナーが盛られ、この部分の厚みが大きくなっている。さらに、用紙５０の裏面側では、特定部分を除いた箇所に対して、クリアトナーが盛られている。
この結果、本実施形態では、エンボス加工を施した場合と同様に、凹凸が用紙５０に対して付与された状態となっている。付言すると、本実施形態では、用紙５０の裏面側から型を押し当てることにより形成される凹凸と同様の凹凸が用紙５０に付与された状態となっている。
【００３８】
なお、本実施形態では、上記のとおり、用紙５０への凹凸の付与が行われる場合、画像データ出力装置１００（図１参照）から画像形成装置２００に向けて、画像データが送られるともに、凹凸形成用データが送られる。そして、本実施形態では、この画像データに基づき、まず、上記通常画像層が形成される。次いで、凹凸形成用データに基づき、用紙５０の表裏に対するクリアトナーの供給が行われ、用紙５０の表裏のそれぞれにクリアトナー層が形成される。そして、このクリアトナー層の形成により、用紙５０に対し凹凸が付与される。
【００３９】
なお、上記通常画像層は、画像形成ユニット３０Ｙ,３０Ｍ,３０Ｃ,３０Ｋにて形成されたトナー像（４つの画像形成ユニット３０Ｙ,３０Ｍ,３０Ｃ,３０Ｋのうちの少なくとも１つの画像形成ユニットにより形成されたトナー像）を、用紙５０に対して転写することで形成する。また、上記クリアトナー層は、例えば画像形成ユニット３０Ｔにて形成されたクリアトナーによる像を、用紙５０に転写することで形成する。
なお、通常画像層の形成にあたっては、画像形成ユニット３０Ｙ,３０Ｍ,３０Ｃ,３０Ｋに加え、画像形成ユニット３０Ｔ,３０Ｐも駆動され、クリアトナーや発泡トナーが加えられたうえで、通常画像層が形成されることもある。
【００４０】
ここで、通常画像層およびクリアトナー層の形成方法の詳細を説明する。
通常画像層およびクリアトナー層の形成にあたっては、画像形成ユニット３０Ｙ,３０Ｍ,３０Ｃ,３０Ｋにて形成されたトナー像を用紙５０に転写することで、通常画像層を形成する。次いで、本実施形態では、反転搬送機構２４０を用い、表裏を反転させた用紙５０を二次転写部Ｔ２に供給することで、用紙５０の裏面に対しクリアトナー層を形成する。次いで、反転搬送機構２４０を用い、用紙５０の表裏を再び反転させて用紙５０を二次転写部Ｔ２に供給することで、用紙５０の表面に対しクリアトナー層を形成する。
【００４１】
これにより、図４にて示したような用紙５０が形成されるようになる。なお、クリアトナー層を一層形成しただけでは凹凸が小さい場合も多い。この場合、反転搬送機構２４０における表裏の反転が複数回繰り返されるとともに、クリアトナー層の用紙５０への転写が複数回行われる。これにより、クリアトナー層の厚みが増し、より大きな凹凸が用紙５０に付与されるようになる。
【００４２】
図５（Ａ）、（Ｂ）は、用紙５０の表裏にそれぞれ形成（転写）されるクリアトナー層を示した図である。付言すると、図５（Ａ）、（Ｂ）は、凹凸形成用データに基づき中間転写ベルト４１（図２参照）上に形成されたクリアトナー層であって、用紙５０に転写される前のクリアトナー層の状態を示している。なお、同図（Ａ）では、用紙５０の表面に形成（転写）されるクリアトナー層を示し、同図（Ｂ）では、用紙５０の裏面に形成（転写）されるクリアトナー層を示している。
【００４３】
同図（Ａ）では、中間転写ベルト４１(不図示)の一部にクリアトナーが付着し、この一部が盛り上がっており、この一部に位置するクリアトナーが用紙５０に転写されることで、用紙５０の一部（上記特定部分）が突出するようになる。一方で、同図（Ｂ）に示すように、用紙５０の裏面に形成されるクリアトナー層では、特定部分に対応した箇所以外にクリアトナーが付着しており、このようなクリアトナー層が用紙５０に転写されることで、用紙５０の裏面に対し、凹部が形成されるようになる。
【００４４】
なお、上記では説明を省略したが、凹凸ジョブ生成部１２２（図１参照）による凹凸形成用データの生成に際しては、まず、ユーザによって、突出させたい対象オブジェクトが特定される。ここで、この特定は、図１にて示すＵＩ（User Interface）１３０にて行われる。なお、ＵＩ１３０は、例えばマウスとディスプレイとにより構成される。
具体例を説明すると、本例では、図３（Ｂ−１）に示すように、「コピー機の画像」を取り囲む矩形状の領域が突出しているが、この場合、この矩形状の領域が、対象オブジェクトとして特定されている。
【００４５】
次いで、本実施形態では、凹凸ジョブ生成部１２２が、特定された対象オブジェクトに基づき、凹凸形成用データを生成する。
詳細には、凹凸ジョブ生成部１２２は、まず、特定された対象オブジェクトに基づき、用紙５０の表面に形成される上記クリアトナー層の形成に用いる凹凸形成用データ（表面用の凹凸形成用データ）を生成する。次いで、凹凸ジョブ生成部１２２は、用紙５０の裏面に形成される上記クリアトナー層の形成に用いる凹凸形成用データ（裏面用の凹凸形成用データ）を生成する。
【００４６】
そして、本実施形態では、生成されたこの二つの凹凸形成用データ（表面用の凹凸形成用データおよび裏面用の凹凸形成用データ）が、レーザ露光装置２６（図２参照）に供給されることで、図５に示したようなクリアトナー層（クリアトナーによる像）が形成されるようになる。
【００４７】
付言すると、本実施形態では、像データの一例としての凹凸形成用データ（表面用の凹凸形成用データおよび裏面用の凹凸形成用データ）に基づき、レーザ露光装置２６等を用いて、用紙５０の表裏に対して、クリアトナーによる像を形成する。そして、本実施形態では、用紙５０へのこの像の形成によって、用紙５０の表裏に対して部分的にクリアトナーを付着させ、これにより、用紙５０に対し凹凸を付与する。
【００４８】
なお、本実施形態の凹凸ジョブ生成部１２２は、裏面用の凹凸形成用データの生成に際しては、表面用の凹凸形成用データに対し、階調反転処理および鏡像処理を施すことで、この裏面用の凹凸形成用データを生成する。
【００４９】
ここで、本実施形態では、用紙５０の表面におけるクリアトナー層の形成位置と、用紙５０の裏面におけるクリアトナー層の形成位置とが、用紙５０の表裏において重ならないようになっている。これにより、エンボス加工を行った際に付与される凹凸と同様の凹凸を用紙５０に対して付与している。このような処理形態の場合、裏面用の凹凸形成用データは、表面用の凹凸形成用データに対して階調反転処理を施すことで簡単に入手できる。
【００５０】
また、本実施形態では、用紙５０の表裏が反転搬送機構２４０にて反転すると、用紙搬送方向における用紙５０の前後が逆転するようになり、かかる場合、上記特定部分の位置（「コピー機の画像」を取り囲む矩形状の領域の位置）が、用紙５０の表裏が反転する度に入れ替わるようになる。このため、本実施形態では、裏面用の凹凸形成用データの生成に際しては、表面用の凹凸形成用データに対し鏡像処理を施す。
【００５１】
なお、本実施形態では、ユーザによって特定された対象オブジェクトに基づき、まず、表面用の凹凸形成用データを生成し、そして、この表面用の凹凸形成用データに対して、階調反転処理および鏡像処理を施すことで、裏面用の凹凸形成用データを生成する場合を一例に説明した。ところで、このよう態様に限られず、対象オブジェクトに基づき、まず、裏面用の凹凸形成用データを生成し、そして、この裏面用の凹凸形成用データに対して、階調反転処理および鏡像処理を施すことで、表面用の凹凸形成用データを生成してもよい。
【００５２】
なお、用紙５０の表裏に対するクリアトナー層の形成は、一回行っただけでは、厚みが小さく、形成される凹凸も小さくなりやすくい。このため、用紙５０の表面に対するクリアトナー層の形成、および、用紙５０の裏面に対するクリアトナー層の形成は、複数回行うことが好ましい。なお、クリアトナー層の形成回数については、ユーザからの指示に基づき設定してもよいし、予め定められた一定の回数としてもよい。
【００５３】
図６は、クリアトナー層が形成された複数枚の用紙５０を積み重ねた状態を示した図である。
本実施形態では、上記のとおり、用紙５０の裏面のうち、特定部分の裏側となる箇所には、クリアトナー層が形成されない。この結果、本実施形態では、用紙５０の裏面のうち、特定部分の裏側となる箇所に、凹部が形成される。
そしてこの場合、複数枚の用紙５０が積み重ねられると、この凹部に対し、この凹部よりも下方に位置する用紙５０の凸部が入り込むようになる。付言すると、凹部に対して凸部が収容されるようになる。
【００５４】
ここで、用紙５０の裏面側に凹部が形成されない場合（用紙５０の裏面側にクリアトナー層が形成されない場合）、複数枚の用紙５０が積載されて用紙束が形成されると、凸部が形成されている部分において、用紙束の厚みが増し、凸部以外の場所では、用紙束は薄くなる。このような場合、用紙束の積載性が悪化しやすくなる。
また、用紙５０が名刺である場合には、名刺束が生成されることとなるが、用紙５０の裏面側に凹部が形成されない場合は、名刺束の一部が厚くなり他の部分が薄くなる。かかる場合、名刺入れにおける名刺の収容性が悪化する。
一方で、本実施形態の構成の場合、用紙束の厚みが一定となりやすくなり、このような不具合が生じにくくなる。
【００５５】
なお、上記では、用紙５０の裏面の全面（特定部分を除いた全面）に対して、クリアトナー層を形成したが、裏面の全面にクリアトナー層を形成しない態様もある。
【００５６】
例えば、図７（用紙５０の裏面の状態を示した図）の（Ａ）に示す構成例では、特定部分の周囲を取り囲む矩形状のクリアトナー層を形成するとともに、用紙５０の外周縁にクリアトナー層を形成し、さらに、この外周縁の内側に格子状のクリアトナー層を形成している。また、同図（Ｂ）に示す構成例では、格子状のクリアトナー層に替え、点状のクリアトナー層を複数形成している。
【００５７】
なお、図６に示したように、用紙５０は積み重ねられることがある。このような場合、図７にて示した態様よりも図３（Ｂ−２）にて示した態様の方が、この積み重ねを行いやすくなる。
図７に示す態様では、用紙５０の裏面に形成されたクリアトナー層（格子状のクリアトナー層や、点状のクリアトナー層）に対して、この用紙５０に重ねられるもう一枚の用紙５０（不図示）の凸部や角部が引っ掛かりやすくなる。一方で、図３（Ｂ−２）にて示したように、用紙５０の裏面の全体にクリアトナー層が形成されていると、この裏面が平坦となり、上記引っ掛かりが生じにくくなる。そしてこの場合は、複数枚の用紙５０を積み重ねる作業を行いやすくなる。
【００５８】
また、上記では、図４に示したように、用紙５０の表面側に形成された凸部の断面形状、および、用紙５０の裏面側に形成された凹部の断面形状を、それぞれ、矩形状（長方形状）としたが、断面形状は矩形状に限られず、例えば、図８（凸部、凹部の他の形状を示した図）に示すように、台形状としてもよい。詳細に説明すると、図８に示す形態では、用紙５０の表面側に形成される凸部は、用紙５０から離れるに従いその幅が次第に小さくなるように形成され、用紙５０の裏面側に形成される凹部は、用紙５０から離れるに従いその幅が次第に拡がるように形成されている。
【００５９】
また、上記では説明を省略したが、本実施形態では、図６に示すように、凸部の幅Ｗ１よりも凹部の幅Ｗ２を大きくし、凸部と凹部との間に寸法Ｌ（＝（Ｗ２−Ｗ１）、不図示）の間隙を形成するようにしている。これにより、凹部の内部に対し凸部が入りやすくなる。
【００６０】
なお、凸部の高さ寸法が大きくなるほど、上記寸法Ｌを大きくすることが好ましい。付言すると、上記寸法Ｌは一定ではなく、凸部の高さ寸法の増加に応じて増加させることが好ましい。ここで、本実施形態では、上記にて説明したとおり、クリアトナー層を複数積層することで凸部を形成するが、誤差などに起因し、クリアトナー層の形成位置が、クリアトナー層を形成する度に異なることが起こり得る。
【００６１】
かかる場合、凸部の幅Ｗ１が本来予定した幅よりも大きくなってしまう。また、この幅Ｗ１の拡大は、凸部の高さが大きいほど生じやすくなる（クリアトナー層の層数が多いほど生じやすくなる）。そして、この場合、凸部の高さが大きいほど、凹部への凸部の収容性が悪化する。ここで、上記のように、凸部の高さ寸法の増大に応じて上記寸法Ｌを大きくする場合、凸部の高さ寸法の増加に伴う収容性（凹部への凸部の収容性）の悪化が生じにくくなる。
【００６２】
また、用紙５０の表面側に形成されるクリアトナー層の層数と、用紙５０の裏面側に形成されるクリアトナー層の層数とを同じにする必要もなく、例えば、表面側に形成されるクリアトナー層の層数を、裏面側に形成されるクリアトナー層の層数よりも少なくしてもよい。この場合、凸部の高さ寸法が、凹部の深さ寸法よりも小さくなり、凹部への凸部の収容性がさらに良好となる。
【００６３】
また、上記では、いわゆる電子写真方式を用い、通常画像層およびクリアトナー層の形成を行ったが、インクジェット方式なども採用でき、この場合は、インクにより形成した通常画像層の上にさらにインクを付着させ、さらに、用紙の裏面にもインクを付着させることで、用紙に対し凹凸が付与される。
【００６４】
また、上記では、図３の（Ｂ−１）にて示したように、「コピー機の画像」の全体を含む矩形状の領域を突出させた場合を一例に説明したが、例えば、この「コピー機」の輪郭を境界として、この境界の内側を突出するようにさせてもよい。また、例えば、文字などを突出させる場合には、文字の輪郭を境界としてこの境界の内側を突出させ、文字が浮かび上がるように凸部を形成するようにしてもよい。
【００６５】
また、上記では、用紙５０の両面に、クリアトナー層を形成することで、用紙５０に凹凸を付与したが、用紙５０の裏面におけるクリアトナー層の形成にあたっては、無色透明のクリアトナーではく、白色など有色のトナーを用いてもよい。付言すると、本実施形態の例では、用紙５０の裏面には文字などの画像が形成されておらず、この場合、無色透明のクリアトナーではく、白色など有色のトナーを用いても、画像が隠れるなどの不具合が生じない。
【００６６】
また、用紙５０の裏面に、文字などの画像が形成されている場合であっても、この画像を外した位置にトナーを載せる場合には、同様に、有色のトナーを用いることができる。なお、用紙５０の表面側でも同様であり、文字などの画像を外した位置にトナーを載せる場合には、有色のトナーを用いることができる。
また、上記では、クリアトナーを用いることで、用紙５０に対して凹凸を付与したが、発砲トナーを用いて、凹凸を付与するようにしてもよい。なお、この発泡トナーが透明である場合は、画像上にこの発泡トナーを載せられるし、透明でない場合は、画像を外した箇所に発泡トナーを載せるようにする。
【００６７】
また、上記では、クリアトナー層の厚みが一定であったが、用紙５０上に形成される通常画像の濃度に応じて、クリアトナー層の厚みを増減させるようにしてもよい。
詳細に説明すると、通常画像には、濃度（画像密度）が大きい部分と、濃度が小さい部分とが存在することがあるが、この場合、濃度に応じて、クリアトナー層の厚みを決めるようしてもよい。
【００６８】
さらに具体的に説明すると、例えば、用紙５０の表面へのクリアトナー層の形成に際しては、通常画像のうちの濃度が小さい部分ではクリアトナー層の厚みを大きくし、濃度が大きい部分ではクリアトナー層の厚みが小さくすることができる。さらに説明すると、本実施形態では、用紙５０の表面にクリアトナーが付着することになるが、クリアトナーのこの付着に際しては、例えば、通常画像のうちの濃度が小さい部分へのトナーの付着量を多くし、濃度が大きい部分へのトナーの付着量を小さくすることができる。
【００６９】
例えば、凹凸のある立体物の画像（写真や絵）を考えた場合に、濃度が大きい部分は谷となり、濃度が小さい部分は丘となることがある。付言すると、立体物では、上方からの光の照射によって影が生じ、下方に位置し谷となっている部分は濃度が大きくなり、上方に位置し丘となっている部分は濃度が小さくなることがある。
ここで、本実施形態のように、濃度が大きい部分でクリアトナー層の厚みを小さくし、濃度が小さい部分でクリアトナー層の厚みを大きくした場合、上記谷と丘とが再現される形となり、上記立体物の立体感（画像が有する立体感）が再現されるようになる。
なお、ここでは、濃度が大きい部分でクリアトナー層の厚みを小さくし、濃度が小さい部分でクリアトナー層の厚みを大きくしたが、その逆、即ち、濃度が大きい部分でクリアトナー層の厚みを大きくし、濃度が小さい部分でクリアトナー層の厚みを小さくすることもできる。
【００７０】
ここで、上記のように、用紙５０の表面へのクリアトナー層の形成に際し、通常画像の濃度に応じて、クリアトナー層の厚みを増減させると、図９（クリアトナー層の厚みを増減させた際の用紙５０の状態を示した図）に示すように、用紙５０の表面に形成されるクリアトナー層は、その厚みが一定ではなく、部分的に厚みが増し、また、部分的に厚みが小さくなる。また、本実施形態では、上記のように、表面用の凹凸形成用データに対し、階調反転処理および鏡像処理を施すことで、裏面用の凹凸形成用データを生成しているため、用紙５０の裏面側でも、形成されるクリアトナー層は、その厚みが一定ではなく、部分的に厚みが増し、また、部分的に厚みが小さくなる。
【００７１】
なお、上記では説明を省略したが、通常画像の画像濃度に基づくクリアトナー層の厚みの増減は、凹凸ジョブ生成部１２２（図１参照）により行われる。具体的に説明すると、凹凸ジョブ生成部１２２は、アプリケーション１１０から送信されてきた画像データを解析することで、通常画像の濃度を把握する。詳細に説明すると、凹凸ジョブ生成部１２２は、通常画像を複数の領域に分割するとともに、複数の領域の個々の領域毎に、画像の濃度を把握する。
【００７２】
そして、凹凸ジョブ生成部１２２は、領域毎に把握した画像濃度に基づき、領域毎に、用紙５０の表面に形成するクリアトナー層の厚みを決定する。そして、凹凸ジョブ生成部１２２は、決定したこのクリアトナー層の厚みも考慮に入れたうえで、凹凸形成用データ（表面用の凹凸形成用データ）を生成する。その後、凹凸ジョブ生成部１２２は、この凹凸形成用データに対して、階調反転処理および鏡像処理を施し、裏面用の凹凸形成用データを生成する。
【００７３】
なお、上記では、一つの装置（画像形成装置２００）にて、通常画像の形成、および、クリアトナー層の形成を行ったが、通常画像の形成を行う装置と、クリアトナー層の形成を行う装置（凹凸を形成する凹凸形成装置）とが別個独立に設けられる形態も考えられる。この場合、一つ目の装置にて、用紙に対する通常画像の形成が行われる。また、二つ目の装置にて、クリアトナー層の形成が行われる。
【符号の説明】
【００７４】
１…画像形成システム、３０Ｔ,３０Ｐ,３０Ｙ３０Ｍ,３０Ｃ,３０Ｋ…画像形成ユニット、５０…用紙、１００…画像データ出力装置、２００…画像形成装置
【図１】
2015079135.tif 000003
【図２】
2015079135.tif 000004
【図３】
2015079135.tif 000005
【図４】
2015079135.tif 000006
【図５】
2015079135.tif 000007
【図６】
2015079135.tif 000008
【図７】
2015079135.tif 000009
【図８】
2015079135.tif 000010
【図９】
2015079135.tif 000011